【事件の表示】
　特願２０１８−２２８２２１「箱詰めキット」拒絶査定不服審判事件〔平成３１年　３月１４日出願公開、特開２０１９−　３８６１６、請求項の数（４）〕について、次のとおり審決する。
【結　論】
　原査定を取り消す。
　本願の発明は、特許すべきものとする。
【理　由】
第１　手続の経緯
　本件審判に係る出願（以下、「本願」という。）は、平成２６年３月３１日に特許出願した特願２０１４−７３１７８号の一部を平成３０年１２月５日に分割して新たな特許出願としたものであって、平成３１年１月４日付けで上申書及び手続補正書が提出され、令和元年１０月７日付けで拒絶の理由が通知され、令和２年２月７日付けで意見書が提出され、同年４月２４日付けで拒絶査定（以下、「原査定」という。）された。本件審判は、原査定に対して令和２年８月１３日に請求がされると同時に手続補正書が提出されたものである。
第２　原査定の概要
　原査定の概要は次のとおりである。
　本願請求項１−７に係る発明は、以下の引用文献１−４に基づいて、その発明の属する技術の分野における通常の知識を有する者（以下「当業者」という。）が容易に発明できたものであるから、特許法第２９条第２項の規定により特許を受けることができない。
引用文献等一覧
　１．特開２００７−２５２７４９号公報
　２．特開２０１１−２４０９５９号公報
　３．特開２００４−０７５１９３号公報
　４．特開２０１１−２３５９５４号公報（周知技術を示す文献）
第３　審判請求時の補正について
　審判請求時の補正（以下、「本件補正」という。）によって、請求項１、３のそれぞれに「前記仕切り材は、個々の又は２個以上の飲料用水素含有水製品を区切るように設けられてなり」、「容器内部の空間と容器外部の空間との連通を断つ」なる発明特定事項（以下、「本件補正事項」という。）が追加された。
　本件補正により請求項１、３のそれぞれに追加された本件補正事項は、段落【００１０】、【００１２】及び【００２０】に記載されているから、本件補正は、願書に最初に添付した明細書、特許請求の範囲又は図面（以下、「当初明細書等」という。）に記載した事項の範囲内においてしたものであり、特許法第１７条の２第３項に規定する要件を満たすものである。
　また、本件補正は、補正前の請求項１、６における発明特定事項である、「仕切り材」、「容器体の底部が上を向き、反対に前記キャップが下を向いた姿勢にて箱内に装填」のそれぞれに限定を付加するものであり、かつ、補正前の請求項１、６に記載された発明と、補正後の請求項１、３に記載される発明の産業上の利用分野及び解決しようとする課題が同一であるので、本件補正は、特許法第１７条の２第５項第２号に規定する特許請求の範囲の減縮を目的とするものである。
　そして、以下「第４　本願発明」から「第６　対比・判断」までに示すように、補正後の請求項１−４に係る発明は、特許出願の際独立して特許を受けることができる（特許法第１７条の２第６項において準用する同法第１２６条第７項の規定に適合する）ものである。
第４　本願発明
　本願請求項１−４に係る発明（以下、それぞれ「本願発明１」−「本願発明４」という。）は、令和２年８月１３日付けの手続補正で補正された特許請求の範囲の請求項１−４に記載された事項により特定される発明であり、以下のとおりの発明である。
「【請求項１】
飲料用水素含有水製品が箱内に装填されてなる箱詰めキットであって、
該飲料用水素含有水製品は、可撓性を有する袋状の容器体と、該容器体内に差し込まれたスパウトと、該容器体の頂部に取着された該スパウトのキャップとを備えてなるスパウト付包装容器の内部に、飲料用水素含有水が充填されてなるものであり、
前記箱は、２個以上の飲料用水素含有水製品が、前記容器体の底部が上を向き、反対に前記キャップが下を向いた逆さ姿勢が保たれるように、前記箱の内部空間を格子状に仕切る仕切り材を設けてなり、
前記仕切り材の高さは、前記容器体の底部よりも低い位置に設定されており、
前記仕切り材は、個々の又は２個以上の飲料用水素含有水製品を区切るように設けられてなり、
そして前記飲料用水素含有水製品は、前記容器体の底部が上を向き、反対に前記キャップが下を向いた姿勢にて箱内に装填され、容器内部の空間と容器外部の空間との連通を断つことを特徴とする、飲料用水素含有水製品の箱詰めキット。
【請求項２】
前記飲料用水素含有水製品は、前記容器体の底部が上を向き、反対に前記キャップが下を向いた姿勢にて箱内に前記容器体の周囲が前記仕切り材に当接するように装填されている、請求項１に記載の箱詰めキット。
【請求項３】
可撓性を有する袋状の容器体と、該容器体内に差し込まれたスパウトと、該容器体の頂部に取着された該スパウトのキャップとを備えてなるスパウト付包装容器の内部に、飲料用水素含有水が充填されてなる飲料用水素含有水製品を、箱詰めする方法であって、
前記箱は、２個以上の飲料用水素含有水製品が、前記容器体の底部が上を向き、反対に前記キャップが下を向いた逆さ姿勢が保たれるように、前記箱の内部空間を格子状に仕切る仕切り材を設けてなり、
前記仕切り材の高さは、前記容器体の底部よりも低い位置に設定されており、
前記仕切り材は、個々の又は２個以上の飲料用水素含有水製品を区切るように設けられてなり、
該飲料用水素含有水製品を、前記容器体の底部が上を向き、反対に前記キャップが下を向いた姿勢にて箱内に装填し、容器内部の空間と容器外部の空間との連通を断つことを特徴とする、飲料用水素含有水製品の箱詰め保存法。
【請求項４】
該飲料用水素含有水製品を、前記容器体の底部が上を向き、反対に前記キャップが下を向いた姿勢にて箱内に前記容器体の周囲が前記仕切り材に当接するように装填する、請求項３に記載の箱詰め保存法。」
第５　引用文献
（１）引用文献１について
　原査定の拒絶の理由に引用された引用文献１には、図面とともに以下の事項が記載されている。（下線は、当審で付与した。以下、同様。）
ア．「【００１４】
　即ち本発明は、
可撓性を有する素材より成り内容物を充填された際に略直方体状になる袋部の下方中央部に吐出口を構成する吐出部が突出して形成されており充填されたペースト状の歯科用印象材を歯科用印象材練和装置に供給する歯科用印象材の容器を、梱包箱内に複数収納する際に用いられる歯科用印象材の容器用支持部材
イ．「【００２７】
　この容器保持片１の一対の仕切片1c，1cは、それぞれの支持片1b，1bの下端より上方に折曲して形成され少なくとも載置片1aの上面に載置される歯科用印象材の容器Ｃの側部に当接する高さを有していると共に載置片1aの上面に載置される隣合う歯科用印象材の容器Ｃ，Ｃ間に位置する部位にその上縁端側より帯状に切り込まれた区画片挿入部1caが設けられており、
この仕切片1cの高さとしては、図６に示す如く載置片1aの上面に載置された歯科用印象材の容器Ｃの側部の高さより高いものであってもよく、また載置片1aの上面に載置された歯科用印象材の容器Ｃの側部の下方の一部にのみ当接するものであってもよいが
ウ．「【００２８】
　２は容器保持片１の仕切片1cの対向する両区画挿入部1caに挿入係合され両仕切片1c，1c同士の間隔を維持せしめる区画片であり、容器保持片１を梱包箱Ｂに設置する際にその形状を維持させると共に、
容器保持片１の載置片1aの上面に載置された歯科用印象材の容器Ｃが容器保持片１の載置片1aの開口穴1aa併設方向へ倒れないように歯科用印象材の容器Ｃを支持する役目を果たす。
エ．「【００２９】
　
この区画片２としては、容器保持片１の仕切片1cの対向する両区画挿入部1ca，1caに挿入係合され両仕切片1c，1c同士の間隔を維持せしめることができる形状のものであれば何でもよく、例えばその高さが区画挿入部1cと高さ方向の長さが略同一の寸法で
オ．「【００３０】
 そして、
図５に示す如く梱包箱Ｂに容器保持片１を２つ並設する態様の場合には
カ．「【００３４】
 かくして、本発明に係る歯科用印象材の容器用支持部材を梱包箱Ｂ内に設置した後に、
図７に示す如き歯科用印象材の容器Ｃを図５及び図６に示す如くその吐出部C2が下方となるようにそれぞれの容器保持片１及び区画片２によって区画された空間にそれぞれ挿入し
ペースト状の歯科用印象材を充填された歯科用印象材の容器Ｃ内に残存する空気はペーストの粘性に抗して長時間掛けて徐々に上方へと移行し、最終的には歯科用印象材の容器Ｃ内の吐出部C2と反対側の方へと集まる
　上記記載事項及び図示内容から、以下の事項が認められる。
キ．上記記載事項カの「図７に示す如き歯科用印象材の容器Ｃを図５及び図６に示す如くその吐出部C2が下方となるように」との記載と、図６、７の図示内容から、歯科用印象材の容器Ｃは、
袋部C1の底部が上を向き、反対に吐出部C2が下を向いた姿勢となっていることが理解できる。
ク．上記記載事項オの「図５に示す如く梱包箱Ｂに容器保持片１を２つ並設する態様」との記載と、図５の図示内容から、容器用支持部材は、梱包箱Ｂの内部空間を格子状に仕切ることが理解できる。
　上記記載事項、図示内容及び認定事項を総合し、本願発明１の記載ぶりに倣って整理すると、引用文献１には次の発明（以下、「引用発明１」という。）が記載されている。
（引用発明１）
　歯科用印象材が充填された容器Ｃが梱包箱Ｂ内に収納されたものであって、
該歯科用印象材が充填された容器Ｃは、袋部C1と、吐出部C2とを備えてなる吐出部C2付容器Ｃの内部に、歯科用印象材が充填されてなるものであり、
前記梱包箱Ｂは、２個以上の歯科用印象材が充填された容器Ｃが、袋体の袋部C1が上を向き、反対に前記吐出部C2が下を向いた姿勢が保たれるように、前記梱包箱Ｂの内部空間を格子状に仕切る容器用支持部材を設けてなり、
前記容器用支持部材は、前記容器Ｃの側部の下方の一部のみに当接されており、
前記容器用支持部材は、個々の歯科用印象材が充填された容器Ｃを区切るように設けられてなり、
そして前記歯科用印象材が充填された容器Ｃは、袋部C1の底部が上を向き、反対に前記吐出部C2が下を向いた姿勢にて梱包箱Ｂ内に収納され、歯科用印象材が充填された容器Ｃが梱包箱Ｂに詰められたもの。
（２）引用文献２について
　原査定の拒絶の理由に引用された引用文献２には、図面とともに以下の事項が記載されている。
ケ．「【００１６】
　本発明のスパウト付包装容器は水素含有水を充填するためのものであって、可とう性を備えた袋状の容器体と、スパウトとキャップとを備えてなる。」
コ．「【００１９】
　図１に示すように、ガゼットタイプのスパウト付包装容器１は、内容物（水素含有水）を充填すると箱状（直方体状）の形状となる（図１（ｂ））。この包装容器は、アルミラミネートシートを熱溶着して袋状に成形してなる容器体２と、樹脂製のスパウト３から構成される。なお図１では省略されているが、
スパウト３の開口部を封止する樹脂製のキャップが備え付けられる。
　容器体２は、正面シート２１ａ、背面シート２１ｂと、これら両シートの間に２つに折り畳まれて挟まれた右側面シート２１ｃおよび左側面シート２１ｄから構成される。
　そして容器体２は、正面シート２１ａの右側縁と右側シート２１ｃの前側縁、右側シート２１ｃの後側縁と背面シート２１ｂの右側縁、背面シート２１ｂの左側縁と左側シート２１ｄの後側縁、並びに左側シート２１ｄの前側縁と正面シート２１ａの左側縁とが夫々ヒートシールされることによって底部２２、まち部２３を有する袋状に形成される。
　また、
スパウト３は、正面シート２１ａと背面シート２１ｂの間に挿入された状態で両シートの上縁略中央部とヒートシールされることにより装着されている。
サ．「【００２７】
　そして本発明は、前記スパウト付包装容器に充填・密封されてなる飲料用水素含有水製品にも関する。」
　上記記載事項及び図示内容を総合すると、引用文献２には次の発明（以下、「引用発明２」という。）が記載されている
（引用発明２）
　飲料用水素含有水製品は、可とう性を有する袋状の容器体２と、該容器体２内に差し込まれたスパウト３と、該容器体２の頂部に取着された該スパウト３のキャップ１０とを備えてなるスパウト付包装容器１の内部に、飲料用水素含有水が充填されてなるものであること。
第６　対比・判断
（１）本願発明１について
　本願発明１と引用発明１とを対比すると、その意味、機能または構造からみて、引用発明１の「梱包箱Ｂ」が本願発明１の「箱」に相当し、以下それぞれ、引用発明１の「袋部C1」、「容器用支持部材」が本願発明１の「可撓性を有する袋状の容器体」、「仕切り材」に相当する。
　引用発明１の「吐出部C2」と、本願発明１の「スパウト」とは、内容物を導出する部分という限りで共通する。
　引用発明１の「歯科用印象材が充填された容器Ｃ」と、本願発明１の「飲料用水素含有水製品」とは、内容物が充填された容器である限りにおいて共通する。
　引用発明１の「歯科用印象材が充填された容器Ｃが梱包箱Ｂ内に収納されたもの」と、本願発明１の「飲料用水素含有水製品が箱内に装填されてなる箱詰めキット」とは、「内容物が充填された容器が箱内に装填されてなる箱」という限りで共通する。
　上記記載事項イの「この仕切片1cの高さとしては、図６に示す如く載置片1aの上面に載置された歯科用印象材の容器Ｃの側部の高さより高いものであってもよく、また載置片1aの上面に載置された歯科用印象材の容器Ｃの側部の下方の一部にのみ当接するものであってもよい」との記載、及び、上記記載事項エの「この区画片２としては、容器保持片１の仕切片1cの対向する両区画挿入部1ca，1caに挿入係合され両仕切片1c，1c同士の間隔を維持せしめることができる形状のものであれば何でもよく、例えばその高さが区画挿入部1cと高さ方向の長さが略同一の寸法で」との記載から、引用発明１の「前記容器用支持部材は、前記容器Ｃの側部の下方の一部のみに当接されており」は、本願発明１の「前記仕切り材の高さは、前記容器体の底部よりも低い位置に設定されており」に相当する。
　してみると、本願発明１と引用発明１とは、両者が
「内容物が充填された容器が箱内に装填されてなる箱であって、
該内容物が充填された容器は、可撓性を有する袋状の容器体と、内容物を導出する部分とを備えてなる包装容器の内部に、内容物が充填されてなるものであり、
前記箱は、２個以上の内容物が充填された容器が、前記容器体の底部が上を向き、反対に前記内容物を導出する部分が下を向いた逆さ姿勢が保たれるように、前記箱の内部空間を格子状に仕切る仕切り材を設けてなり、
前記仕切り材の高さは、前記容器体の底部よりも低い位置に設定されており、
前記仕切り材は、個々の内容物が充填された容器を区切るように設けられてなり、
そして前記内容物が充填された容器は、前記容器体の底部が上を向き、反対に前記内容物を導出する部分が下を向いた姿勢にて箱内に装填されている、内容物が充填された容器の箱。」
で一致し、次の点で相違する。
（相違点１）
　内容物が充填された容器について、本願発明１では、容器の内部に充填されるものが「飲料用水素含有水」であるのに対して、引用発明１では「歯科用印象材」である点。
（相違点２）
　内容物を導出する部分において、本願発明１では、容器は、容器体内に差し込まれたスパウトと、容器体の頂部に取着された該スパウトのキャップとを備えているのに対して、引用発明１では、吐出部が包装体内に差し込まれているか不明であり、キャップを備えているかも不明である点。
（相違点３）
　本願発明１では、飲料用水素含有水製品は、容器内部の空間と容器外部の空間との連通を断つのに対して、引用発明１では、連通を断つのか不明である点。
　まず、上記相違点１−２について検討する。
　引用発明１は、２種のペースト原料を練和して歯科用印象材ペーストを調製する際、歯科用印象材ペーストの原料を充填した容器内に残存する空気が、練和装置の送出手段に入り込むという課題に着目し、該課題を解決するためになされたものである（引用文献１の段落【００１１】を参照。）。
　一方、引用発明２は、飲料用水素含有水充填時の空気の混入（空気溜まり）を抑制した構造の袋状容器を用い（引用文献２の段落【０００６】を参照。）、さらに容器を密封するタイミングにあわせて容器内に残存する空気を排出するという充填方法によって、スパウト開口部のシール・キャップ後の空気の残存の防止を図った技術である（同段落【００２６】を参照。）。
　引用発明１が歯科用印象材ペーストを収容する容器内に残存する空気に着目したものであるのに対し、引用発明２は、飲料用水素含有水充填時に混入する空気に着目したものであって、技術分野も解決しようとする課題も異なるから、引用発明１の箱に、引用発明２の飲料用水素含有水製品を収容しようとする動機付けがない。また、引用文献３、４にも、この動機付けについて示唆する記載はない。
　仮に引用発明１に引用発明２を組み合わせることができたとしても、引用発明１の容器は、逆さ姿勢で内容物を吐出するものであるところ、引用発明２の吐出部を、容器体内に差し込まれたスパウトを採用すると、内容物を最後まで吐出することが困難となるため、両者を組み合わせることには、阻害要因があるというべきである。
　よって、相違点３を検討するまでもなく、本願発明１は、当業者であっても引用発明１、２、及び引用文献３、４に記載された技術的事項に基づいて容易に発明できたものであるとはいえない。
（２）本願発明２−４について
　本願発明２−４も、相違点１、２に係る発明特定事項を有するものであるから、本願発明１と同じ理由により、当業者であっても、引用発明１、２、及び引用文献３、４に記載された技術的事項に基づいて容易に発明できたものとはいえない。
第７　原査定について
　審判請求時の補正により、本願発明１−４は相違点１−３に係る発明特定事項を有するものとなっており、当業者であっても、拒絶査定において引用された引用文献１−４に記載された発明に基づいて、容易に発明できたものとはいえない。
　したがって、原査定の理由を維持することはできない。
第８　むすび
　以上のとおり、原査定の理由によっては、本願を拒絶することはできない。
　また、他に本願を拒絶すべき理由を発見しない。
　よって、結論のとおり審決する。